【事件の表示】
　平成８年特許願第２４９３７９号「光ディスクドライブ装置」拒絶査定に対する審判事件［平成１０年４月１４日出願公開、特開平１０−９７７８１］について、次のとおり審決する。
【結　論】
　本件審判の請求は、成り立たない。
【理　由】
１．手続の経緯
　本願は、平成８年９月２０日の出願であって、平成１４年７月３１日付けで拒絶査定がなされ、これに対し、平成１４年９月５日に拒絶査定に対する審判請求がなされるとともに、同年１０月１日付けで手続補正がなされたものである。
　
２．平成１４年１０月１日付けの手続補正についての補正却下の決定
　〔補正却下の決定の結論〕
　平成１４年１０月１日付けの手続補正を却下する。
　
　〔理　由〕
（１）本件補正の内容
　　平成１４年１０月１日付けの手続補正（以下、「本件手続補正」という。）は、特許請求の範囲に関して、以下の補正を含むものである。
　
　　平成１４年７月３日付け手続補正の特許請求の範囲の
「【請求項１】　ＰＣＭＣＩＡ規格に対応するコネクタを有し、
　　コネクタに連続する外形形状をＰＣＭＣＩＡ規格に対応する形状に形成された光ディスクドライブ本体と、
　光ディスクドライブ本体に対して開閉自在に取付けられて光ディスクを内装したカートリッジを格納するトレイと、
　トレイに格納される光ディスクカートリッジと、
　光ディスクドライブ本体に装備されてカートリッジの光ディスクに対して情報の記録再生を行なう記録再生機器部材を格納する格納部を備え、
　光ディスクカートリッジは、長矩形カード型の筐体であり、
　該カートリッジ筐体の短辺側の一方に偏寄されて内装される光ディスクを有し、
　前記光ディスクカートリッジが前記トレイに格納され、前記光ディスクドライブ本体に装着されたときに、前記光ディスクカートリッジ内の前記光ディスクがコネクタと相対する側に位置され、前記記録再生機器部材の一部を格納する格納部に近接して配置されることを特徴とした光ディスクドライブ装置。」を、
「【請求項１】　ＰＣＭＣＩＡ規格に対応するコネクタを有し、
　コネクタに連続する外形形状をＰＣＭＣＩＡ規格に対応する形状に形成された光ディスクドライブ本体と、
　光ディスクドライブ本体に対して開閉自在に取付けられて光ディスクを内装した光ディスクカートリッジを格納するトレイと、
　前記ＰＣＭＣＩＡ規格に対応する形状に形成された光ディスクドライブ本体に連続して設けられるＰＣＭＣＩＡ規格外の形状に形成された格納部を備え、
　前記光ディスクカートリッジの光ディスクに対して情報の記録再生を行なう記録再生部材を該格納部に、あるいは該格納部と前記光ディスクドライブ本体に格納する構成とし、
　前記光ディスクカートリッジは、長矩形のカード型の筐体であり、
　筐体の短辺側の一方に偏寄されて内装される光ディスクと、
　該光ディスクの記録面を前記記録再生部材に直面させるための開口部と、
　該開口部を覆うシャッタを有し、
　前記光ディスクカートリッジが前記トレイに格納され、前記光ディスクドライブ本体に装着されたときに、前記光ディスクカートリッジ内の前記光ディスクが前記コネクタと相対する側に位置され、格納部に近接して配置されることを特徴とした光ディスクドライブ装置。」とする補正を含むものである。
　
　上記補正は、請求項１に係る発明の構成である「格納部」に関し、「前記ＰＣＭＣＩＡ規格に対応する形状に形成された光ディスクドライブ本体に連続して設けられるＰＣＭＣＩＡ規格外の形状に形成された」と限定を付加し、「光ディスクカートリッジ」に関し、「該光ディスクの記録面を前記記録再生部材に直面させるための開口部と、該開口部を覆うシャッタを有し」と限定を付加するものであって、特許法第17条の２第４項第２号の特許請求の範囲の減縮を目的とするものに該当する。
　（なお、「記録再生部材」は、詳細な説明の記載には無い部材であり、さらに「情報の記録再生を行なう・・・」の記載から「記録再生機器部材」の誤記であると認める。）
　
　そこで、本件補正後の前記請求項１に係る発明（以下、「本件補正発明」という。）が特許出願の際独立して特許を受けることができるものであるか否か（特許法第17条の２第５項において準用する同法第126条第４項の規定に違反するか否か）について以下に検討する。
　
　（２）引用例の記載事項
　原査定の拒絶の理由で引用された特開平５−２６６４９５号公報（以下、「引用例１」という。）には、図面とともに、
「【００６７】
　　【実施例】
　〔第１実施例〕
　図１及び図２は、本発明の第一実施例の光ディスク装置１０の全体構成を示す。
　【００６８】
　光ディスク装置１０は、下カバー１１と上カバー１２とよりなる筐体１３内に、スピンドルモータ１４及び揺動型光学ヘッド装置１５が組込まれた構成である。スピンドルモータ１４のスピンドル１６には、書き換え可能な相変化方式の光ディスク１７が、金属型ハブ１８を磁気的に吸着されて、離脱可能な状態で、装着される。この光ディスク１７は径Ｄが１．８インチであり、厚さｔが０．３mmあるいは、２枚を互いに張り合わせて０．６ｍｍである。
　【００６９】
　この光ディスク装置１０は、長さＬが７５ｍｍ、幅Ｗが４８ｍｍ、高さＨ3が５ｍｍであり、小型で薄型であり、ＩＣメモリカードよりひとまわり小さい大きさである。」
「【０１６５】
　図１７及び図１８は、光ディスク装置１５０の全体構成を示す。
　【０１６６】
　各図中、図１に示す構成部分と対応部分には同一符号を付す。
　【０１６７】
　光ディスク装置１５０のサイズは図１の光ディスク装置１０と同じである。
　【０１６８】
　まず、装置１５０に組込まれている揺動型光学ヘッド装置１５１について説明する。
　【０１６９】
　図１９及び図２０に併せて示すように、揺動型光学ヘッド装置１５１は、ヘッド本体１５２と、揺動支持機構１５３と、電磁駆動装置１５４等よりなり、ヘッド本体１５２が揺動支持機構１５３により揺動可能に支持され、電磁駆動装置１５４によって矢印３２，３３方向に揺動される構成である。
　【０１７０】
　ヘッド本体１５２は、薄型で略矩形状の本体部１５６と、この本体部１５６より延出したアーム１５７と、平行板ばね機構１５８とよりなる。
　【０１７１】
　本体部１５６及びアーム部１５７は、図２２及び図２７に併せて示すように、天板部と両側の側壁とよりなる逆Ｕ字状のフレーム１５９と、この下面を覆うシート１６０とよりなる、中空の密封構造である。
　【０１７２】
　本体部１５６内には、図２１に示すブロック部１６１をフレーム１５９と一体に有する。
　【０１７３】
　説明の便宜上、ここで揺動支持機構１５３について、図２２を併せ参照して説明する。
　【０１７４】
　１６２は揺動中心固定軸であり、図１８の平面図上、装着された光ディスク１７の外側の部位に位置している。
　【０１７５】
　この固定軸１６２は、本体部１５６（ブロック部１６１）の貫通孔１６３を貫通しており、上端を、シャーシ１６４に固定され、下端を、シャーシ１６４の下面にねじ１６５によりねじ止めされた支え部材１６６によって固定されて、本体部１５６の上方と下方で固定してある。」
「【０２６０】
　〔第３実施例〕
　この第３実施例及び以下の第４乃至第６実施例は、全て、社団法人日本電子工業振興協会（以下、ＪＥＩＤＡという）又はＰＣ　ＭＥＭＯＲＹ　ＣＡＲＤ　（ＡＲＤ　ＩＮＴＥＲＮＡＴＩＯＮＡＬ　ＡＳＳＣＩＡＴＩＯＮ（以下、ＰＣＭＣＩＡ）が規定する３２のＩＣメモリカードタイプIII又はＩＣメモリカードタイプIIと代替可能な構成を有する。
　【０２６１】
　以下、ＪＥＩＤＡ又はＰＣＭＣＩＡを省略して単にＩＣメモリカードタイプIII又はＩＣメモリカードタイプIIという。
　【０２６２】
　第３実施例による光ディスク装置３００は、図３３、図３５、図３６に示すように、下側にハウジング３０１を有し、この上に光ディスク装置機構部３０２を有し、ハウジング３０１の長手方向一端に、ソケットコネクタ３０３が露出して設けられた構成である。
　【０２６３】
　なお、図３３には影になるため図示していないが、図３６に示す側面図にあるようにハウジング３０１の底面はソケットコネクタ３０３の下面よりも下方に張り出しており、その厚さは、ソケットコネクタ３０３の厚さ方向の中心線よりも２．５ｍｍ以内である。
　【０２６４】
　又、大きさは、ハウジング３１０上部の光ディスク装置機構部３０２と同じである。
　【０２６５】
　光ディスク装置機構部３０２は、図１７に示す光ディスク装置１５０と実質上同じ構造であり、対応する部分には同一符号を付し、その説明は省略する。
　【０２６６】
　ハウジング３０１内には、図３７に示すプリント板組立体３０４が収納してある。
　【０２６７】
　プリント板組立体３０４は、プリント板３０５の上面と下面とに、表面実装タイプの樹脂モールドされた電子部品３０６が多数実装された構成である。複数の電子部品３０６が、図３４の回路を構成している。
　【０２６８】
　このプリント板組立体３０４は、図３８（Ａ），（Ｂ）中、クロスハッチングで示す領域３０７を占めている。
　【０２６９】
　また、図３７中、ソケットコネクタ３０３の近くに位置している、符号３０６ａで示す電子部品が図３４中のインターフェース回路３１０を構成している。
　【０２７０】
　プリント板組立体３０４は、光ディスク装置機構部３０２の下側に位置しており、両者は、図３７に示す端子部３０８を介して電気的に接続されている。
　【０２７１】
　また、ソケットコネクタ３０３は、電子部品３０６ａと電気的に接続された状態で、プリント板３０５の端に固定してある。」
「【０２７９】
　次に光ディスク装置３００の特徴について説明する。
　【０２８０】
　１　図３５及び図３６に示すように、光ディスク装置全体の形状は、長さが８５．６ｍｍ、幅が５４．０ｍｍ、厚さが１０．５ｍｍである。
　【０２８１】
　２　ソケットコネクタ３０３は、ＪＥＩＤＡが提案しているＩＣメモリカードガイドラインに規定されている仕様を満たす構成のものである。
　【０２８２】
　このことは、ソケットコネクタ３０３は、ＰＣＭＣＩＡが提案しているソケットコネクタの仕様を満足していることでもある。
　【０２８３】
　ソケットコネクタ３０３は、図３５及び図３６に示すように長さが１０ｍｍ、幅が５４．０ｍｍ、厚さが３．３ｍｍである。
　【０２８４】
　３　図３３に示すように、光ディスク１７は、カバー３１８を取り外して、自由に装着脱可能であり、光ディスク装置３００は、光ディスク１７が離脱されたままであり、光ディスク１７が未装着の状態の場合もありうる。
　【０２８５】
　そこで、図３４に示すように、光ディスク装置機構部３０２内に、光ディスク検知器３１９が設けてある。この光ディスク検知器３１９は、反射型光センサであり、光ディスク１７が装着されているか否かを検出する。
　【０２８６】
　また光ディスク検知器３１９よりの信号に基づいて、光ディスク１７が装着されているか否かを判断する光ディスク装着有無判断回路３２０が設けてある。
　【０２８７】
　４　図３４中のインターフェイス回路３１０は、ＪＥＩＤＡが提案しているＩＣメモリカードラインに規定されている電気・インターフェイス仕様を満たす（このことはＰＣＭＣＩＡ提案のＩＣメモリカードの電気・インターフェイス仕様を満たすことでもある）構成であって、更に、前記回路３２０からのステータス信号を情報機器に伝える機能を有する構成である。
　【０２８８】
　上記１乃至５の特徴を備えたことによって、光ディスク装置３００は外形寸法的にも電気的にもＩＣメモリカードタイプIIIと同じくなり、ＩＣメモリカードタイプIIIと同様に取り扱うことが可能となる。即ち、情報機器のＩＣメモリカードタイプIII用スロット内に差し込むことが出来、且つ、情報機器かとの間での情報の授受も可能となる。」
「【０２９６】
　〔第４実施例〕
　第４及び第５実施例を示す図において、図３３乃至図３８に示す構成部分と対応する部分には同一符号を付し、その説明は省略する。」
「【０３０８】
　〔第５実施例〕
　図４５の光ディスク装置３４０は、図３３に示す光ディスク装置３００に、カートリッジローディング機構を付加した構成である。
　【０３０９】
　説明の便宜上、上記の光ディスク装置３４０に適用しうる光ディスクカートリッジについて、図４６を参照して説明する。
　【０３１０】
　光ディスクカートリッジ３４１は、第１のカートリッジ半体３４２と、これを一体の枠部３４３と、この枠部３４３に嵌合して、Ｘ1，Ｘ2方向の摺動可能である第２のカートリッジ半体３４４とを有する。
　【０３１１】
　光ディスク１７は、枠部３４３の径が４６ｍｍの開口３４５内に嵌合して径方向上約１／３を第１の半体３４２内に、残りの部分を第２の半体３４４内に収容されている。
　【０３１２】
　この半体３４４が第１の半体３４２に当接した状態（図５４（Ａ）参照）が「閉」である。このときのカートリッジ３４１は、長さが５０ｍｍ、幅が４８ｍｍ、厚さが１．６ｍｍである。
　【０３１３】
　図４６のように第２の半体３４４が第１の半体３４２から離れた状態が「開」であり、このときの長さが６７ｍｍである。
　【０３１４】
　なお、フック３４６と凹部３４７とによって、第２の半体３４４は、閉位置か開位置に仮保持される。
　【０３１５】
　光ディスクカートリッジ３４１は、閉状態で、保管され及び取り扱われ、光ディスク１７は塵埃の付着及び外部衝撃等から保護される。
　【０３１６】
　次に、ローディング機構について図４５を参照して説明する。
　【０３１７】
　３５０はカートリッジホルダであり、図４７に示すように下面側が開口３５１としてあり、ガイドレール３５２に嵌合している。
　【０３１８】
　上下動機構３５５は、図４８及び図４９を併せて示すように、コイル３５６、上側ヨーク３５７と下側ヨーク３５７ｂとを有するヨーク３５７、永久磁石３５８、アーム３５９等よりなる。
　【０３１９】
　アーム３５９は、基部側を軸３６０に支持され、先端のピン３６１が、ホルダ３５０の長孔３５０ｂに嵌合している。
　【０３２０】
　アーム３５９は、図５１（Ａ）に示す戻しばね３６１によって矢印Ａ1方向に回動しており、カートリッジホルダ３５０は高い位置に位置している。
　【０３２１】
　アーム３５９の先端近傍から、アーム部３６２が横に延在しており、上下ヨーク３５７ａ，３５７ｂの間を通っている。
　【０３２２】
　このアーム部３６２の先端側に対向して、図５０に併せて示すロック機構３６３が設けてある。
　【０３２３】
　ロック機構３６３２は、ロックアーム３６５、この先端の磁性体片３６６、この磁性体片３６６に対向したコイル３６７、ヨーク３６８、及び図５１（Ｂ）に示す戻しばね３６９よりなる。
　【０３２４】
　コイル３５６が一時的に通電されると、永久磁石３５８が下側ヨーク部３５７ｂに吸引され、アーム３５９がばね３６１に抗して矢印Ａ2方向に回動され、ホルダ３５０が下動される。
　【０３２５】
　アーム３５９は、アーム部３６２の先端をロックアーム３６５の先端のロック爪３６５ａによって係止されて、図４９中二点鎖線で示す位置にロックされる。また、コイル３６７が一時的に通電されると、ロックアーム３６５がばね３６９に抗して矢印Ｂ1方向に一時的に回動される。これにより、上記ロックが解除され、アーム３５９がばね３６１により矢印Ａ1方向に回動され、ホルダ３５０は上動する。」
「【０３３３】
　次に、光ディスクカートリッジ３４１の装着脱動作について、図５４を参照して説明する。
　【０３３４】
　同図（Ａ）乃至（Ｃ）は、装着動作を示し、同図（Ｄ）乃至（Ｆ）は離脱動作を示す。
　【０３３５】
　光ディスクカートリッジ３４１を手動により、ホルダー３５０内に挿入する（同図（Ａ））。
　【０３３６】
　カートリッジ３４１がホルダ３５０内に挿入されると、カートリッジ固定ピン３７７が第１の半体３４２の孔（図示せず）に係合して、第１の半体３４２が固定され、続いてカートリッジ開閉機構３７０が動作し、ロッド３７２がＸ2方向に移動し、第２の半体３４５が爪３７４によって、同方向に移動され、カートリッジ３４１は閉状態となり、光ディスクの中央部が露出する（同図（Ｂ））。
　【０３３７】
　次いで、上下動機構３５５が動作し、ホルダ３５０が０．３〜０．５ｍｍ程度下降し、光ディスク１７がターンテーブル３７８上に装着される（同図（Ｃ））。
　【０３３８】
　カートリッジの離脱は、上記とは逆の順序で行われる。
　【０３３９】
　即ち、まず、同図（Ｄ）に示すように、ホルダ３５０が上動し、次いで、同図（Ｅ）に示すように、カートリッジが閉じられる。最後に、以降３７０が同図（Ｂ）と同様に動作する。このとき、第１の半体３４２はピン３７７より外されているため、上記機構３７０の動作によりカートリッジ３４１が一部排出されている（同図（Ｆ））。
　【０３４０】
　カートリッジ３４１を手で抜き取ると、ピン３７７が上動してセットされ、同図（Ａ）の状態となる。」との記載が認められ、
　　図４５，４９，５４には、ホルダ３５０の長孔３５０ｂがアーム３５９を介して軸３６０に支持され、ディスク装置機構部に軸３６０が配置されて記載されている。
　
　これらの記載によれば、引用例１の特に第５実施例には、
「ＰＣＩＭＣＩＡの仕様を満たすソケットコネクタを有し、
　ソケットコネクタを一端に設けたハウジングとこの上のディスク装置機構部から形成されたＰＣＩＭＣＩＡ規格の形状に形成された光ディスク装置であって、
　ディスク装置機構部に対して取り付けられて、光ディスクカートリッジを収納して上下動するホルダーを備え、
　ディスク装置機構部は、スピンドルモータ及び揺動形光学ヘッド装置を組み込む構成とし、
　光ディスクカートリッジは、長さが５０ｍｍ、幅が４８ｍｍであり、第１の半体と、これと一体の枠部と、枠部に嵌合する第２の半体からなり、枠部の開口に嵌合された光ディスクを有し、
　光ディスクカートリッジがソケットコネクタとは反対側に挿入開口を有するホルダーに挿入されて、第１の半体が固定され、続いて第２の半体が移動されて光ディスクの中央部が露出し、次いでホルダーが下降してターンテーブルに光ディスクが装着されたときに、光ディスクカートリッジ内の光ディスクがソケットコネクタとは離れた側に位置する光ディスクカートリッジの第１の半体に配置される光ディスク装置。」との発明（以下、「引用例１の発明」という。）が開示されていると認めることができる。
　
　拒絶査定時に引用された特開平８−４５２５８号公報（以下、「引用例２」という。）には、図面とともに、
「【００２６】
　上記ホストシステム１０は、ＰＣＭＣＩＡ／ＪＥＩＤＡの標準仕様に準拠したＰＣカード制御ソフトウエアによるＰＣカードの制御機能を備えるＯＳを搭載したノード型パーソナルコンピュータや携帯型情報通信機器などであって、ＰＣカードが挿入されるＰＣカード・スロット１１が設けられている。そして、このホストシステム１０は、図２に示すように、上記データバックアップ装置２０を上記ＰＣカード・スロット１１に挿入することにより装着できるようになっている。
　【００２７】
　また、上記データバックアップ装置２０は、本発明に係るデータバックアップ装置であって、図３乃至図５に示すようにＰＣＭＣＩＡ／ＪＥＩＤＡの標準仕様に準拠したＰＣカード・サイズのＰＣカード部２１とこのＰＣカード部２１に一体化されたカセットデッキ部２２からなる。」
「【００３１】
　なお、ＰＣＭＣＩＡ／ＪＥＩＤＡでは、物理仕様としてカード寸法、コネクタ寸法、カード環境条件やコネクタ環境条件などが規定されており、カード属性情報仕様としてメモリデバイス情報、バージョン情報、フォーマット情報やコンフィギュレーション情報などが規定されており、さらに、電気・インターフェース仕様としてピン配置、電気的インターフェース、メモリリード／ライト動作、Ｉ／Ｏ機能や信号タイミングなどが規定されている。そして、このデータバックアップ装置２０は、このようなＰＣＭＣＩＡ／ＪＥＩＤＡの標準仕様に準拠したデバイスとして機能するようになっている」
「【００３５】
　また、この実施例のデータバックアップ装置２０では、上記カセットデッキ部２２の上壁部分にカセット蓋２３を開閉自在に設け、また、前壁部分に動作状態を発光表示する発光部２４とイジェクト釦２５を配設することにより、上記カセットデッキ部２２にテープカセット４０を水平に装着する構造としたが、図１０及び図１１に示すように、上記カセットデッキ部２２の前壁部分にカセット蓋２３を開閉自在に設け、また、上壁部分に動作状態を発光表示する発光部２４とイジェクト釦２５を配設することにより、上記カセットデッキ部２２にテープカセット４０を垂直に装着する構造としても良い。」と記載されていることが認められる。
　
　（３）対　比
　そこで、本件補正発明と引用例１の発明を対比すると、両者とも、ＰＣＩＭＣＩＡ規格に対応し、
　引用例１の発明の「光ディスク装置」「ソケットコネクタ」「光ディスクカートリッジ」「光ディスク」は、
　本件補正発明の「光ディスクドライブ装置」「コネクタ」「光ディスクカートリッジ」「光ディスク」に相当し、
　　引用例１の発明の「ソケットコネクタを一端に設けたハウジングとこの上のディスク装置機構部」はＰＣＩＭＣＩＡ規格の形状に形成されており、本件補正発明の「コネクタに連続する外径形状をＰＡＩＣＩＭＡ規格に対応する形状に形成された光ディスクドライブ本体」に相当する。
　引用例１の発明の「ホルダー」は、光ディスクカートリッジを収納し、本件補正発明の光ディスクカートリッジを格納する「トレイ」に相当する。
　引用例１の発明の「スピンドルモータ及び揺動形光学ヘッド装置」は、本件補正発明の「情報の記録再生を行う記録再生部材」に相当する。
　
　そうすると、本件補正発明と引用例に記載されたものとは次の点で一致する。
「ＰＣＭＣＩＡ規格に対応するコネクタを有し、
　コネクタに連続する外形形状をＰＣＭＣＩＡ規格に対応する形状に形成された光ディスクドライブ本体と、
　光ディスクドライブ本体に対して取付けられて光ディスクを内装した光ディスクカートリッジを格納するトレイと、
　前記光ディスクカートリッジの光ディスクに対して情報の記録再生を行なう記録再生部材を前記光ディスクドライブ本体に格納する構成とし、
　前記光ディスクカートリッジは、光ディスクを内装し、
　該光ディスクの記録面を前記記録再生部材に直面させ、
　前記光ディスクカートリッジが前記トレイに格納され、前記光ディスクドライブ本体に装着されたときに、前記光ディスクが前記コネクタと相対する側に位置されて配置されることを特徴とした光ディスクドライブ装置。」
　
　そして、次の各点で相違する。　
　<相違点>
１．本件補正発明が、ＰＣＭＣＩＡ規格に対応する形状に形成された光ディスクドライブ本体に連続して設けられるＰＣＭＣＩＡ規格外の形状に形成された格納部を備え、該格納部に、情報の記録再生を行なう記録再生部材の一部あるいは全部が格納されるのに対して、引用例１の発明には、このような格納部を有していない点。
２．トレイが、本件補正発明では開閉自在であるのに対して、引用例１の発明では開閉自在とは記載されていない点。
３．光ディスクカートリッジが、本件補正発明では、長矩形のカード型の筐体であり、筐体の短辺側の一方に偏寄して光ディスクを内装し、開口部と該開口部を覆うシャッタを有し、光ディスクカートリッジが光ディスクドライブ本体に装着されたとき、光ディスクカートリッジ内の光ディスクが格納部に近接した位置に配置されるのに対して、引用例１の発明においては、長さが５０ｍｍ、幅が４８ｍｍで、第１のカートリッジ半体と、これと一体の枠部と、枠部に嵌合する第２の枠体からなり、光ディスクは枠部の開口に嵌合されている点。
　
（４）判　断
　そこで、上記各相違点について検討する。
　相違点１について
　ＰＣＭＣＩＡ規格の形状に形成されたカード部に一体化されたＰＣＭＣＩＡ規格外の形状に形成された部分を設けた構成が引用例２に記載されている。引用例２に記載されたＰＣＭＣＩＡ規格外の形状に形成された部分は、ＰＣＭＣＩＡ規格の形状に収納空間を追加し、機能を追加する手段として用いられている。引用例１の発明においても、ＰＣＭＣＩＡ規格外の機能を追加するため、スピンドルモータ及び揺動形光学ヘッド装置（記録再生部材）、あるいはその一方を格納できるＰＣＭＣＩＡ規格外の形状に形成された部分を設けることは、引用例２の記載から容易に推考できることである。
　
　相違点２について
　光ディスクカートリッジを格納するトレイが開閉自在である光ディスクドライブ装置は周知であり、引用例１の発明においても、ホルダー（トレイ）を開閉自在にすることは、容易に推考できることである。
　
　相違点３について
　長矩形のカード型の一方の短辺側に偏寄して光ディスクを収納した光ディスクカートリッジは周知（実願昭６０−１８６０１４号（実開昭６２−９４４７２号）のマイクロフィルム、実願昭６２−８４５７９号（実開昭６３−１９５６８０号）のマイクロフィルム等参照）であり、開口部と開口部を開閉するシャッタを光ディスクカートリッジに設けることは普通であり、前記周知例にも記載されているから、引用例１の発明における光ディスクカートリッジをシャッタを有する長矩形とすることは容易に推考できることである。
　そして、相違点１において記述したように、引用例１の発明において、ＰＣＭＣＩＡ規格外の形状の部分にスピンドルモータ及び揺動形光学ヘッド装置（記録再生部材）を設ける場合、あるいは一部を設ける場合でも、スピンドルモータ及び揺動形光学ヘッド装置（記録再生部材）に光ディスクカートリッジ内の光ディスクの配置が近接することで、大型化が避けられ、ＰＣＭＣＩＡ規格を大きく損なわずに設計できることは明かであり、ＰＣＭＣＩＡ規格外の形状に形成された格納部に、光ディスクカートリッジ内の光ディスクを近接して配置することは容易に推察できることである。
　
　そして、本件補正発明が奏する効果も、引用例に記載されたもの及び上記周知の技術から当業者が十分に予測できる範囲のものである。
　したがって、本件補正発明は、引用例１，２に記載された発明及び上記周知の技術に基づいて当業者が容易に発明をすることができたものであるから、特許法第２９条第２項の規定により特許出願の際独立して特許を受けることができないものである。
　
（５）むすび
　以上のとおりであるから、本件手続補正は、特許法第17条の２第５項において準用する同法第126条第４項の規定に違反するものであり、特許法第159条第１項で準用する同法第53条第１項の規定により却下されるべきものである。
　
　３．本願発明について
（１）本願発明
　平成１４年１０月１日付けの手続補正は上記のとおり却下されたので、本願の請求項１に係る発明（以下、同項記載の発明を「本願発明」という。）は、平成１４年７月３日付け手続補正書により補正された明細書及び図面の記載からみて、その特許請求の範囲の請求項１に記載された事項により特定されるとおりのものである（記載事項については、上記「２　〔理由〕　（１）本件補正の内容」の平成１４年７月３日付け手続補正を参照。）。
　
　（２）引用例の記載事項
　原査定の拒絶の理由に引用された引用例１，２及びその記載事項は、上記「２　〔理由〕　（２）引用例の記載事項」に示したとおりのものである。
　
　（３）対　比
　本願発明は、上記「２　〔理由〕　（１）本件補正の内容」において検討した本件補正発明から「格納部」、「光ディスクカートリッジ」に関する限定を省略したものである。
　そうすると、本願発明の構成を全て含み、さらに他の構成を付加したものに相当する本件補正発明が、上記「２　〔理由〕　（３）対　比」に示したとおり、引用例１，２に記載された発明及び周知の技術に基づいて当業者が容易に発明をすることができたものであるから、本願発明も同様の理由により、引用例１，２に記載された発明及び周知の技術に基づいて当業者が容易に発明をすることができたものである。
　
　（４）むすび
　以上のとおりであるから、本願発明は、引用例１，２に記載された発明及び周知の技術に基づいて当業者が容易に発明をすることができたものであり、特許法第２９条第２項の規定により特許を受けることができない。
　よって、結論のとおり審決する。